(57)【要約】  窓部の上部をより効率的に冷却することができる加熱調理器を提供する。開口部を有する加熱庫と、前記開口部に設けられる扉と、前記扉に設けられる窓部と、内部を空気が流通し、前記空気が前記窓部に吹き出す吹出口を有する空気流路と、を備え、前記吹出口は、前記窓部の上側に配置されている。
2020145245.tif 000002
【特許請求の範囲】
【請求項１】
開口部を有する加熱庫と、
前記開口部に設けられる扉と、
前記扉に設けられる窓部と、
内部を空気が流通し、前記空気が前記窓部に吹き出す吹出口を有する空気流路と、を備え、
前記吹出口は、前記窓部の上側に配置されている、加熱調理器。
【請求項２】
前記吹出口は、前記開口部の略中央に設けられている、請求項１に記載の加熱調理器。
【請求項３】
前記空気流路は、前記窓部の上方に設けられている、請求項１又は請求項２に記載の加熱調理器。
【請求項４】
前記扉を開閉するハンドルを備え、
前記空気流路は、前記ハンドルに沿うように設けられている、請求項１から請求項３の何れか１項に記載の加熱調理器。
【請求項５】
前記空気流路に、前記空気の一部を前記吹出口に案内するガイド部が設けられている、請求項４に記載の加熱調理器。
【請求項６】
前記ガイド部は、前記ハンドルを固定するためのボス部からなる、請求項５に記載の加熱調理器。
【請求項７】
前記空気流路における前記吹出口よりも下流側に、前記窓部に吹き出した前記空気を前記空気流路に戻し入れる戻入口を有する、請求項１から請求項６の何れか１項に記載の加熱調理器。
【請求項８】
加熱調理器を操作する操作部を有し、
前記空気流路は、前記操作部のうち、少なくとも液晶表示部に沿うように設けられている、請求項１から請求項７の何れか一項に記載の加熱調理器。
【発明の詳細な説明】
【技術分野】
【０００１】
本発明は加熱調理器に関する。本願は、２０１９年１月１１日に、日本に出願された特願２０１９−３２３０号に基づき優先権を主張し、その内容をここに援用する。
【背景技術】
【０００２】
例えば、特許文献１には、透明窓を冷却する冷却手段を備えた高周波加熱調理装置が開示されている。高周波加熱調理装置では、冷却ファンで発生させた空気の流れを透明窓の空気層へ導くダクトを備えており、透明窓の下部から上部に沿って空気が流れるように構成されている。
【先行技術文献】
【特許文献】
【０００３】
【特許文献１】特開２００５−２７３９３３号公報
【発明の概要】
【発明が解決しようとする課題】
【０００４】
しかし、上述の加熱調理器（高周波加熱調理装置）では、空気が窓部（透明窓）の下部から上部に沿って流れるため、特に高温となる窓部の上部を効率的に冷却することが困難であった。【０００５】
上記の問題点に鑑み、本発明の一態様は、一例として、窓部の上部をより効率的に冷却することができる加熱調理器を提供することを目的とする。
【課題を解決するための手段】
【０００６】
本発明の一態様に係る加熱調理器は、開口部を有する加熱庫と、前記開口部に設けられる扉と、前記扉に設けられる窓部と、内部を空気が流通し、前記空気が前記窓部に吹き出す吹出口を有する空気流路と、を備え、前記吹出口は、前記窓部の上側に配置されている。
【図面の簡単な説明】
【０００７】
【図１】本発明の実施形態１に係る加熱調理器の扉閉鎖時の概略正面図である。
【図２】図１に示した加熱調理器の扉開放時の概略正面図である。
【図３】図１に示した加熱調理器の扉の前方斜視図である。
【図４】図１に示した加熱調理器の扉の正面図である。
【図５】図１に示した加熱調理器の扉の右側面図である。
【図６】図１に示した加熱調理器の扉の上面図である。
【図７】図１に示した加熱調理器の扉の内部に流通する空気の流れを示す扉の概略後方斜視図である。
【図８】図４に示した加熱調理器の扉のＶＩＩＩ−ＶＩＩＩ線矢視断面図である。
【図９】図４に示した加熱調理器の扉のＩＸ−ＩＸ線矢視断面図である。
【図１０】図６に示した加熱調理器の扉のＸ−Ｘ線矢視断面図である。
【図１１】図６に示した加熱調理器の扉のＸＩ−ＸＩ線矢視断面図である。
【図１２】図１に示した加熱調理器の扉の空気流路に設けられる吹出口を後方から見た一部拡大斜視図である。
【図１３】本発明の実施形態２に係る加熱調理器の扉の内部に流通する空気の流れを示す扉の概略後方斜視図である。
【図１４】本発明の実施形態３に係る加熱調理器の扉の空気流路に設けられる吹出口を後方から見た一部拡大斜視図である。
【図１５】本発明の実施形態４に係る加熱調理器の扉の空気流路に設けられる吹出口を後方から見た一部拡大斜視図である。
【発明を実施するための形態】
【０００８】
以下、図面を参照しつつ、本発明の各実施の形態について説明する。なお、本明細書及び図面において、同一又は同等の要素には同一の符号を付することにより重複する説明は省略し、また、本発明に直接関係のない要素は図示を省略する場合がある。さらに、かかる実施の形態に示す構成要素の形態はあくまでも例示であって、これらの形態に限定されるものではない。
【０００９】
（第１の実施形態）
図１から図６を参照して、本発明の実施形態１に係る加熱調理器１００および加熱調理器１００の扉１０２について説明する。図１は、本発明の実施形態１に係る加熱調理器１００の扉１０２閉鎖時の概略正面図である。図２は、図１に示した加熱調理器１００の扉１０２開放時の概略正面図である。以下の説明において、加熱調理器１００において、扉１０２が設けられる面を前面又は正面と称し、正面と対向している加熱調理器１００の面を後面又は背面と称する。また、加熱調理器１００の右側とは、加熱調理器１００を正面から見たときの右側を意味し、加熱調理器１００の左側とは、加熱調理器１００を正面から見たときの左側を意味する。
【００１０】
加熱調理器１００は、前面に開口部１０１ａを有する加熱庫１０１と、開口部１０１ａに設けられる扉１０２と、を備える。加熱庫１０１は、少なくともヒータ等の加熱手段を有し、内部に収容される被加熱物Ｆ（例えば、食品）を加熱する。なお、加熱庫１０１は、ヒータ等の加熱手段に加えて、高周波を出力するマグネトロン等の加熱手段を有してもよい。また、加熱庫１０１は、給水された水を加熱して、水蒸気を発生させる蒸気発生手段を備えてもよく、加熱庫１０１内に水蒸気を発生させて、被加熱物Ｆを調理してもよい。
【００１１】
図３から図６までを参照して、加熱調理器１００の扉１０２について説明する。図３は、図１に示した加熱調理器１００の扉１０２の前方斜視図である。図４は、図１に示した加熱調理器１００の扉１０２の正面図である。図５は、図１に示した加熱調理器１００の扉１０２の右側面図である。図６は、図１に示した加熱調理器１００の扉１０２の上面図である。
【００１２】
扉１０２は、加熱庫１０１の前面に開閉自在に取り付けられる。扉１０２は、加熱庫１０１の開口部１０１ａを開閉可能な形状を有し、加熱庫１０１の下部（下端側の辺）を支点として上下に回動可能に取り付けられている。扉１０２は、加熱調理器１００を操作する操作部１０３と、加熱庫１０１の内部を視認可能な窓部１０４と、ユーザが扉１０２を開閉するハンドル１０５と、を備える。窓部１０４は、加熱庫１０１の内部を視認できるように、例えば、透明な材料で形成されている。
【００１３】
操作部１０３は、扉１０２の前面の右端側、具体的には、窓部１０４の右側に上下にわたって配置されている。操作部１０３は、扉１０２の内部に配置された基板１０３ａ（図８参照）と、基板１０３ａに設けられた液晶表示部１０３ｂ及びボタン１０３ｃ及びダイアル１０３ｄと、を備える。
【００１４】
窓部１０４は、扉１０２の前面中央、より具体的には、操作部１０３の側方から左側にかけて形成される開口部１０４ａと、少なくとも開口部１０４ａを覆うように設けられる耐熱ガラス１０４ｂと、から構成される。耐熱ガラス１０４ｂは、ガラスストッパ１０５ｂを介して、扉１０２の前面に正面側から固定されている。より具体的には、ガラスストッパ１０５ｂは、扉１０２の前面上部において、左右にわたって配置され、扉１０２に固定されており、耐熱ガラス１０４ｂは、上縁部を扉１０２の前面とガラスストッパ１０５ｂとの間で挟んで保持されている。
【００１５】
ハンドル１０５は、扉１０２の外側に設けられ、扉１０２の下部を支点として回動させるためのものである。ハンドル１０５は、略Ｕ字状に形成され、扉１０２の前面上部において、左右にわたって設けられる。ハンドル１０５は、ガラスストッパ１０５ｂを介して扉１０２に固定されている。より具体的には、ハンドル１０５の各端部に位置する連結部１０５ａがガラスストッパ１０５ｂの各端部にそれぞれ連結されている。ハンドル１０５と、ガラスストッパ１０５ｂと、の間は、ユーザが指を挿し入れ可能な空間として形成されている。
【００１６】
図７から図１２までを参照して、扉１０２の内部に設けられる空気流路２００について説明する。図７は、扉１０２の内部に流通する空気の流れを示す扉の概略後方斜視図である。図８は、図４に示した扉１０２のＶＩＩＩ−ＶＩＩＩ線矢視断面図である。図９は、図４に示した扉１０２のＩＸ−ＩＸ線矢視断面図である。図１０は、図６に示した扉１０２のＸ−Ｘ線矢視断面図である。図１１は、図６に示した扉１０２のＸＩ−ＸＩ線矢視断面図である。図１２は、空気流路２００に設けられる吹出口２００ｆを後方から見た一部拡大斜視図である。
【００１７】
図７に示すように、扉１０２には、内部を外部空気（以下、空気とも称する）が流通する空気流路２００が設けられる。空気流路２００は、一例として、操作部１０３の裏側に形成される第１流路２００ａと、ハンドル１０５の裏側に形成され、第１流路２００ａから空気が流れ込む第２流路２００ｂと、を含んで構成される。第１流路２００ａは、操作部１０３の裏側、すなわち、窓部１０４（開口部１０４ａ）の側方（右側）に、上下にわたって形成される。言い換えれば、第１流路２００ａは、操作部１０３に沿うように設けられている。より具体的には、後述するが、例えば、操作部１０３の基板１０３ａにおける背面側が、第１流路２００ａの一部を構成している。これにより、第１流路２００ａには空気が流通するため、操作部１０３を冷却することができる。第２流路２００ｂは、ハンドル１０５の裏側に形成される。より具体的には、後述するが、例えば、ハンドル１０５が取り付けられているガラスストッパ１０５ｂの背面側に形成される。第２流路２００ｂは、窓部１０４（開口部１０４ａ）の上方に、左右にわたって形成される。言い換えれば、第２流路２００ｂは、ハンドル１０５に沿うように設けられている。これにより、第２流路２００ｂに空気が流通するため、ガラスストッパ１０５ｂを介してハンドル１０５を冷却することができる。
【００１８】
以下では、図８から図１１までを参照して扉１０２の内部構造について具体的に説明する。
【００１９】
図８及び図９に示すように、扉１０２は、主として外郭（前面）を構成するフレーム１０２ａと、主として外郭（後面）を構成するドアパネル１０２ｆと、を有する。フレーム１０２ａには、操作部１０３、耐熱ガラス１０４ｂ、ハンドル１０５、ガラスストッパ１０５ｂ等が取り付けられる。
【００２０】
図８に示すように、第１流路２００ａは、操作部１０３の基板１０３ａの背面側に流路板２０１が配置されることで形成される。操作部１０３は、複数の部品（例えば、基板１０３ａ、液晶表示部１０３ｂ、ボタン１０３ｃ、ダイアル１０３ｄ、流路板２０１、基板カバー２０３等）が積層して組み立てられ、フレーム１０２ａに形成される開口部に背面側から嵌め込んで取り付けられている。流路板２０１は、基板１０３ａの裏側に配置されており、基板１０３ａと流路板２０１との間の空間が第１流路２００ａになっている。このように、基板１０３ａの背面側の第１流路２００ａに空気が流通するため、基板１０３ａを冷却することができる。また、第１流路２００ａ内には、送風ファン２０２が取り付けられた基板カバー２０３が配置されている。基板カバー２０３は、送風ファン２０２よりも下流側において、第１流路２００ａを前後方向に分割する仕切り板として機能する。第１流路２００ａは、基板カバー２０３によって、基板１０３ａの裏側に空気が流れる第１分岐流路２００ｃと、第２流路２００ｂに向けて空気を案内する第２分岐流路２００ｄと、に分割される。
【００２１】
流路板２０１の下部（送風ファン２０２よりも上流側）には、外部と連通する給気口２０１ａ（図１１参照）が形成され、流路板２０１の上部（送風ファン２０２よりも下流側）には、第２流路２００ｂに連通する連通口２０１ｂ（図８参照）が形成される。つまり、空気は、送風ファン２０２によって給気口２０１ａを通じて第１流路２００ａ内に取り込まれる。そして、第１流路２００ａ内において第２分岐流路２００ｄに流れる空気は、連通口２０１ｂを通じて第２流路２００ｂに流れ込む。
【００２２】
基板カバー２０３の上部（送風ファン２０２よりも下流側）には、外部と連通する排気口２０３ａ（図１１参照）が形成される。つまり、第１流路２００ａ内において第１分岐流路２００ｃに流れる空気は、排気口２０３ａを通じて外部に排出される。
【００２３】
図８に示すように、送風ファン２０２の吹出口２０２ａ側の一部は、液晶表示部１０３ｂと重なるように配置される。すなわち、送風ファン２０２は、第１流路２００ａの液晶表示部１０３ｂよりも上流側に配置される。ゆえに、操作部１０３のうち、少なくとも液晶表示部１０３ｂの裏側には、送風ファン２０２の吹出口２０２ａから吹き出される空気が通過するように構成される。
【００２４】
以上の構成において、操作部１０３のうち、少なくとも液晶表示部１０３ｂに沿うように空気流路２００（第１流路２００ａ）が設けられることで、操作部１０３、特に液晶表示部１０３ｂを送風ファン２０２から吹き出される空気によって効率的に冷却することができる。また、送風ファン２０２よりも下流側において第１流路２００ａを前後に分割し、第２分岐流路２００ｄに流れ込んだ空気を第２流路２００ｂに案内するように構成することで、第２流路２００ｂに空気を流すことができる。なお、第１分岐流路２００ｃに流れる空気は、第２分岐流路２００ｄに流れる空気よりも少なくなるように構成されている。なお、第１流路２００ａは、操作部１０３のうち、少なくとも液晶表示部１０３ｂの裏側に空気を供給されるように構成されればよく、上記のものに限定されない。
【００２５】
図８に示すように、第２流路２００ｂは、ガラスストッパ１０５ｂの裏側に設けられている。より具体的には、フレーム１０２ａと、ガラスストッパ１０５ｂの取付面の裏側においてフレーム１０２ａを補強するための補強フレーム１０６と、の間に形成される。
【００２６】
フレーム１０２ａには、ハンドル１０５（ガラスストッパ１０５ｂ）を固定するためのボス部１０２ｂが形成される。ボス部１０２ｂは、フレーム１０２ａから背面側に突出して設けられ、ガラスストッパ１０５ｂが取り付けられるフレーム１０２ａの取付面（前面上部）に沿って複数並べて形成される。ボス部１０２ｂは、フレーム１０２ａの厚み方向に向けてフレーム１０２ａの一部が突出して設けられる。ガラスストッパ１０５ｂは、背面側に突出し、各ボス部１０２ｂにそれぞれ嵌合する複数の突起部１０５ｃが形成される。突起部１０５ｃには、ねじ挿入穴である締結穴（図示せず）が形成されている。
【００２７】
以上の構成において、ハンドル１０５は、ガラスストッパ１０５ｂの突起部１０５ｃをボス部１０２ｂに嵌合した上で、突起部１０５ｃの締結穴に裏側（背面側）からねじ１０７によって締結されている。ねじ１０７と、ボス部１０２ｂとの間には、フレーム１０２ａを補強するための補強フレーム１０６が設けられる。補強フレーム１０６は、一枚の板状部材を複数回屈曲させて形成される板金からなる。補強フレーム１０６は、剛性を高める目的で、ボス部１０２ｂの裏面以外に、フレーム１０２ａから背面側に突出して形成される補強リブ１０２ｃ、補強リブ１０２ｄ及び補強リブ１０２ｅの各先端部に当接してフレーム１０２ａに固定されている。
【００２８】
補強リブ１０２ｃは、ハンドル１０５よりも上方において、フレーム１０２ａから背面側に突出し、左右にわたって形成されている。補強リブ１０２ｄは、ハンドル１０５の略上端部の高さに位置するフレーム１０２ａから背面側に突出し、左右にわたって形成されている。補強リブ１０２ｅは、ハンドル１０５の略下端部の高さに位置するフレーム１０２ａから背面側に突出し、左右にわたって形成されている。
【００２９】
以上の構成において、第２流路２００ｂは、フレーム１０２ａと補強フレーム１０６とにより囲まれる空間、すなわち、フレーム１０２ａの前面上部と、補強リブ１０２ｄと、補強フレーム１０６と、補強リブ１０２ｅと、により囲まれる空間から構成されている。ボス部１０２ｂは、第２流路２００ｂ内部において、前後に横断するように設けられている。
【００３０】
図７に示すように、第２流路２００ｂの右端（上流側の端部：図７では左端）の下方には、第１流路２００ａが形成されており、連通口２０１ｂを介してつながっている。第２流路２００ｂの左端（下流側の端部：図７では右端）には、排気口２００ｅが形成されている。第１流路２００ａから第２流路２００ｂに流れる空気は、排気口２００ｅを介して外部に排出される。これにより、操作部１０３の裏側を通過した空気が、第２流路２００ｂを流れることで、扉１０２（フレーム１０２ａ）に接触しているガラスストッパ１０５ｂを冷却することができる。さらに、ガラスストッパ１０５ｂを介してハンドル１０５を冷却することができる。
【００３１】
なお、空気流路２００は、第１流路２００ａと第２流路２００ｂとから構成されているが、前後方向から見て窓部１０４と重ならない位置に設けられていればよく、これに限定されない。また、第１流路２００ａ及び第２流路２００ｂは、例えば、ダクト等により構成されてもよい。
【００３２】
図７及び図９及び図１１及び図１２に示すように、空気流路２００は、内部を流れる空気を窓部１０４に吹き出す吹出口２００ｆを有する。吹出口２００ｆは、窓部１０４の上側に配置されている。窓部１０４の上側とは、窓部１０４の上下方向における中央よりも上側を指す。吹出口２００ｆは、例えば、窓部１０４の上方に設けられる第２流路２００ｂに形成される。より具体的には、吹出口２００ｆは、第２流路２００ｂを形成する路壁（本実施の形態では、第２流路２００ｂの底部を構成する補強リブ１０２ｅ）に設けられる。窓部１０４に吹き出すとは、例えば、窓部１０４と、ドアパネル１０２ｆとによって挟まれる空間に空気が吹き出すことを指す。
【００３３】
図１２に示すように、吹出口２００ｆは、例えば、補強リブ１０２ｅに形成される切り欠きからなる。切り欠きは、一例として、左右方向の幅は６０ｍｍ、奥行き（前後方向）の長さは、４ｍｍに形成される。吹出口２００ｆは、加熱庫１０１の開口部１０１ａの略中央に設けられている。具体的には、加熱庫１０１と扉１０２との隣接方向（前後方向）から見て加熱庫１０１の開口部１０１ａの左右方向における略中央に重なるように設けられる。これにより、吹出口２００ｆから吹き出される空気を、窓部１０４において特に高温となる上部中央近傍に吹き出すことができる。ゆえに、窓部１０４の上部を効率的に冷却することができる。さらに、吹き出した空気は、高温となった窓部１０４の上部中央近傍において熱せられるため、窓部１０４の上部以外の部位は冷却されにくい。したがって、例えば、食品等を加熱する加熱庫１０１が上記空気により冷却されにくく、加熱庫１０１の加熱性能の低下を抑制することができる。
【００３４】
また、加熱庫１０１が蒸気発生手段を備えている場合、加熱庫１０１から扉１０２内に水蒸気が漏れ出して窓部１０４に結露が発生することがある。この場合に、吹出口２００ｆから空気を窓部１０４に吹き出すことで、結露の発生を抑制することができる。さらに、例えば結露が発生したとしても、吹出口２００ｆから吹き出される風により、窓部１０４に付着した水滴付近の空気をかき混ぜることで、蒸発を促進させ、水滴を除去することができる。
【００３５】
図１２に示すように、吹出口２００ｆは、第２流路２００ｂにおいて、扉１０２の中央近傍に設けられるボス部１０２ｂの下方に設けられている。具体的には、吹出口２００ｆは、中央部上方にボス部１０２ｂが位置するように形成されている。ボス部１０２ｂの隣接方向（正面又は背面）から見た輪郭（外形）は略楕円状に形成されている。ボス部１０２ｂは、長軸が左右方向に一致し、短軸が上下方向に一致するように形成されている。
【００３６】
以上の構成において、第２流路２００ｂを流れる空気は、吹出口２００ｆの上方に位置するボス部１０２ｂに到達すると、その一部はボス部１０２ｂの輪郭（曲面）に沿って流れる。ボス部１０２ｂの輪郭に沿って流れる空気の一部、すなわち、輪郭の下部に沿って流れる空気は、斜め下方に流れるように方向付けがなされる。これにより、第２流路２００ｂを流れる空気の一部を吹出口２００ｆに案内することができる。すなわち、ボス部１０２ｂは、第２流路２００ｂを流れる空気の一部を吹出口２００ｆに案内するガイド部として設けられる。
【００３７】
なお、吹出口２００ｆは、その中央上方にボス部１０２ｂが位置するように形成されているが、これに限定されず、ボス部１０２ｂの輪郭に沿って流れる空気を吹出口２００ｆに案内できればよく、ボス部１０２ｂの近傍に配置されていればよい。また、吹出口２００ｆは、切り欠きに限らず、例えば、空気流路２００に形成された孔等であってもよい。
【００３８】
図１１に示すように、空気流路２００（第２流路２００ｂ）における吹出口２００ｆよりも下流側には、窓部１０４に吹き出した空気を第２流路２００ｂに戻し入れる戻入口２００ｇが形成される。戻入口２００ｇは、第２流路を形成する路壁（本実施の形態では、第２流路２００ｂの底部を構成する補強リブ１０２ｅ）に形成される。
【００３９】
戻入口２００ｇは、例えば、補強リブ１０２ｅに形成される切り欠きからなる。切り欠きは、一例として、左右方向の幅は６０ｍｍ、奥行き（前後方向）の長さは、４ｍｍに形成される。戻入口２００ｇは、吹出口２００ｆよりも下流側の補強リブ１０２ｅに設けられる。具体的には、第２流路２００ｂの下流側に位置するボス部１０２ｂとボス部１０２ｂとの間の補強リブ１０２ｅに設けられている。
【００４０】
これにより、吹出口２００ｆを通じて空気が流れ込んだとしても窓部１０４の空間内の圧力が高まることを防ぐことができる。そのため、第２流路２００ｂから吹出口２００ｆを通じて窓部１０４への空気の円滑な流入を実現することができる。ゆえに、窓部１０４において特に高温となる上部中央近傍を冷却することができる。また、戻入口２００ｇが設けられることによって、吹出口２００ｆから戻入口２００ｇに沿うように、すなわち、窓部１０４の上部に沿うように空気の流れが作られる。ゆえに、例えば、戻入口２００ｇを設けていない場合よりも、窓部１０４をさらに効率的に冷却することができる。
【００４１】
なお、空気流路２００の一部を、例えば、吹出口２００ｆ及び戻入口２００ｇを接続するダクトから構成してもよい。そして、ダクト内に空気を流通させることで、空気流路２００に窓部１０４の上部を冷却するように構成してもよい。また、吹出口２００ｆは、切り欠きに限らず、例えば、空気流路２００に形成された孔等であってもよい。また、吹出口２００ｆを通じて窓部１０４に流入する空気を第２流路２００ｂに戻し入れる戻入口２００ｇが設けられているが、第２流路２００ｂに吹出口２００ｆのみを形成し、戻入口２００ｇは形成しなくてもよい。
【００４２】
（第２の実施形態）
図１３を参照して、第１の実施形態とは配置が異なる構成の吹出口２００ｆについて説明する。図１３は、本発明の実施形態２に係る加熱調理器１００の扉１０２の内部に流通する空気の流れを示す扉１０２の概略後方斜視図である。
【００４３】
吹出口２００ｆは、窓部１０４の上側に配置されており、一例として、窓部１０４の上部側方（本実施の形態では、第１流路２００ａ）に設けられる。より具体的には、吹出口２００ｆは、第１流路２００ａの下流側を形成する路壁に設けられる。また、第２流路２００ｂに戻入口２００ｇを形成し、窓部１０４に吹き出した空気を第２流路２００ｂに戻すように構成されている。
【００４４】
以上のように、吹出口２００ｆは、第２流路２００ｂに限らず、窓部１０４の上側に配置されればよい。これにより、吹出口２００ｆから吹き出される空気は、窓部１０４において特に高温となる上部中央近傍に吹き出されることで、窓部１０４の上部を効率的に冷却することができる。
【００４５】
（第３の実施形態）
図１４を参照して、第１の実施形態及び第２の実施形態とは異なる構成のガイド部について説明する。図１４は、本発明の実施形態３に係る加熱調理器１００の第２流路２００ｂに設けられる吹出口２００ｆを後方から見た一部拡大斜視図である。
【００４６】
吹出口２００ｆは、第２流路２００ｂにおいて、扉１０２の中央近傍に位置するボス部１０２ｂとボス部１０２ｂとの間の補強リブ１０２ｅに設けられている。ガイド部は、整風板３００からなる。整風板３００は、略矩形状に形成される一枚の板状部材からなる。整風板３００は、吹出口２００ｆの下流側端部から前上方に向けて傾斜するように設けられる。
【００４７】
これにより、第２流路２００ｂに流れ込む空気の一部を整風板３００に沿って吹出口２００ｆに案内することができる。ゆえに、窓部１０４において特に高温となる上部中央近傍に空気を吹き出すことができる。
【００４８】
（第４の実施形態）
図１５を参照して、第１の実施形態から第３の実施形態までとは異なる構成のガイド部について説明する。図１５は、本発明の実施形態４に係る加熱調理器１００の第２流路２００ｂに設けられる吹出口２００ｆを後方から見た一部拡大斜視図である。
【００４９】
吹出口２００ｆは、第２流路２００ｂにおいて、扉１０２の中央近傍に位置するボス部１０２ｂとボス部１０２ｂとの間の補強リブ１０２ｅに設けられている。ガイド部は、吹出口２００ｆに接続されるダクト４００からなる。ダクト４００は、吹出口２００ｆから第２流路２００ｂの底部を構成する補強リブ１０２ｅに沿って上流側に延出するように形成され、吹出口２００ｆを覆うように設けられる。ダクト４００の流入口は、第２流路２００ｂにおいて上流側を向くように構成される。
【００５０】
これにより、第２流路２００ｂからダクト４００内に流れ込む空気の一部を吹出口２００ｆに案内することができる。ゆえに、窓部１０４において特に高温となる上部中央近傍に空気を吹き出すことができる。また、吹出口２００ｆを覆うようにダクト４００が形成されることで、吹出口２００ｆを通じて窓部１０４内に粉塵が入り込むことを抑制することができる。
【００５１】
なお、本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。
【図１】
2020145245.tif 000003
【図２】
2020145245.tif 000004
【図３】
2020145245.tif 000005
【図４】
2020145245.tif 000006
【図５】
2020145245.tif 000007
【図６】
2020145245.tif 000008
【図７】
2020145245.tif 000009
【図８】
2020145245.tif 000010
【図９】
2020145245.tif 000011
【図１０】
2020145245.tif 000012
【図１１】
2020145245.tif 000013
【図１２】
2020145245.tif 000014
【図１３】
2020145245.tif 000015
【図１４】
2020145245.tif 000016
【図１５】
2020145245.tif 000017
【国際調査報告】
2020145245.tif 000018
2020145245.tif 000019
2020145245.tif 000020
2020145245.tif 000021
2020145245.tif 000022